(57)【要約】【課題】スコアカードに貼付することにより、ハンディや目標スコアを決めてプレイする場合には、各ホールのパー数表示欄の数値より何打余分に打つことができるのかをすぐに読み取ることができ、また同伴者とハンディ戦をする場合にも、各ホールの同伴者とのハンディをすぐに読み取ることができ、競技者がプレイに集中でき、ゴルフの楽しみをより増加させることができるゴルフのスコアカード用貼付シートを提供する。【解決手段】スコアカード１に貼り付けるシート３としており、ゴルフ場のホール難易度に応じたハンディまたは目標スコアによる修正数値Ｓが記載されているものとしている。【選択図】　　　　図４
2004024306.tif 000002
【特許請求の範囲】
【請求項１】
スコアカード（１）に貼り付けるシート（３）としており、ゴルフ場のホールの難易度に応じたハンディまたは目標スコアによる修正数値（Ｓ）が記載されていることを特徴とするゴルフのスコアカード用貼付シート。
【請求項２】
前記シート（３）を、スコアカード（１）の何れかの欄（２）または欄外（６）に貼り付けるものとしたことを特徴とする請求項１記載のゴルフのスコアカード用貼付シート。
【請求項３】
前記シート（３）を、裏面に粘着層（４）を有する短冊状とし、その裏面を剥離紙（５）に貼り付けたものとしたことを特徴とする請求項１記載のゴルフのスコアカード用貼付シート。
【請求項４】
前記修正数値（Ｓ）を、プレイヤーのハンディ、または目標スコアとゴルフ場コースのパー数との差分が１〜１８迄については、そのハンディまたは差分を、ゴルフ場のホールの難易度を示す順序にしたがい、そのホールのパー数に一打ずつ加算した値とし、前記ハンディまたは差分が１９〜３６迄については、そのハンディまたは差分を、ゴルフ場のホールの難易度を示す順序にしたがい、そのホールのパー数に一打ずつ加算し、全ホールを越えた分については繰り返し前記一打ずつ加算した値にもう一打ずつ加算した値としたことを特徴とする請求項１記載のゴルフのスコアカード用貼付シート。
【請求項５】
前記欄（２）を、距離表示欄（２ａ）、プレイヤーの打数、パット数記入欄（２ｂ）、パー数表示欄（２ｃ）、スコアカード（１）に新たに設けた欄（２ｄ）の何れかとしたことを特徴とする請求項２記載のゴルフのスコアカード用貼付シート。
【発明の詳細な説明】
【０００１】
【発明の属する技術分野】
この発明は、スコアカードに貼付して、ゴルフの楽しみをより増加させることができるゴルフのスコアカード用貼付シートに関するものである。
【０００２】
【従来の技術】
従来から一般的に使用されているゴルフのスコアカードには、ホール番号表示欄、各ホールの距離表示欄およびそのトータル距離表示欄、各ホールのパー数表示欄およびそのトータル数表示欄、プレイヤーの氏名記入欄、打数、パット数およびこれらのトータル数の記入欄、並びにハンディキャップ表示欄が設けられている。
【０００３】
前記ハンディキャップ表示欄には、そのゴルフ場のホールの難易度に応じて、インコース、アウトコースの１８ホールに１〜１８までの順序を付したり、東コース、西コース、南コース等と複数のコースがある場合には、これらのコース９ホール毎に１〜９までの順序を付したものとしている。
【０００４】
【発明が解決しようとする課題】
しかしながら、従来のスコアカードでは、前記したようにハンディキャップ表示欄にはそのゴルフ場のホールの難易度を示す１〜１８または１〜９までの順序しか付されていないため、ハンディや目標スコアを決めてプレイする場合、各ホールを何打でホールアウトすればよいのか、すなわち各ホールのパー数表示欄の数値より何打余分に打つことができるのかをすぐに読み取ることができず、計算に頭を使うことによってイライラしたりして、プレイに集中できないという課題を有していた。
【０００５】
また、従来のスコアカードでは、同伴者とハンディ戦をする場合、各ホールの同伴者とのハンディをすぐに読み取ることができず、このような場合にも前記したのと同様にプレイに集中できないという課題を有していた。
【０００６】
そこで、この発明は、上記従来のスコアカードが有する課題を解決するためになされたものであり、スコアカードに貼付することにより、ハンディや目標スコアを決めてプレイする場合には、各ホールのパー数表示欄の数値より何打余分に打つことができるのかをすぐに読み取ることができ、また同伴者とハンディ戦をする場合にも、各ホールの同伴者とのハンディをすぐに読み取ることができ、競技者がプレイに集中でき、ゴルフの楽しみをより増加させることができるゴルフのスコアカード用貼付シートを提供することを目的としてなされたものである。
【０００７】
【課題を解決するための手段】
この発明のゴルフのスコアカード用貼付シートは、スコアカード１に貼り付けるシート３としており、ゴルフ場のホールの難易度に応じたハンディまたは目標スコアによる修正数値Ｓが記載されているものとしている。
【０００８】
この発明における前記シート３は、スコアカード１の何れかの欄２または欄外６に貼り付けるものとすることができる。
【０００９】
また、この発明における前記シート３は、裏面に粘着層４を有する短冊状とし、その裏面を剥離紙５に貼り付けたものとしている。
【００１０】
この発明における前記修正数値Ｓは、プレイヤーのハンディ、または目標スコアとゴルフ場コースのパー数との差分が１〜１８迄については、そのハンディまたは差分を、ゴルフ場のホールの難易度を示す順序にしたがい、そのホールのパー数に一打ずつ加算した値とし、前記ハンディまたは差分が１９〜３６迄については、そのハンディまたは差分を、ゴルフ場のホールの難易度を示す順序にしたがい、そのホールのパー数に一打ずつ加算し、全ホールを越えた分については繰り返し前記一打ずつ加算した値にもう一打ずつ加算した値としている。
【００１１】
さらに、前記欄２は、距離表示欄２ａ、プレイヤーの打数、パット数記入欄２ｂ、パー数表示欄２ｃ、スコアカード１に新たに設けた欄２ｄの何れかとすることができる。
【００１２】
【発明の実施の形態】
以下、この発明のゴルフのスコアカード用貼付シートの実施の形態を、図面に基づいて詳細に説明する。
【００１３】
この発明のゴルフのスコアカード用貼付シートは、スコアカード１の何れかの欄２に貼り付けるシート３としている。このシート３は、薄紙や合成樹脂の薄板等からなるものとしており、裏面に粘着層４を有する短冊状としており、その裏面を剥離紙５に貼り付けたものとしている。なお、前記シート３を薄紙とした場合には、紙の表面に樹脂コーティングする等して防水加工したものとするのが、保管時や使用時に水等で濡れても支障のないものとなるので好ましい。
【００１４】
そして、前記シート３には、ゴルフ場のホールの難易度に応じたハンディまたは目標スコアによる修正数値Ｓがその表面に記載されている。この修正数値Ｓは、プレイヤーのハンディ、または目標スコアとゴルフ場コースのパー数との差分が１〜１８迄については、そのハンディまたは差分を、ゴルフ場のホールの難易度を示す順序にしたがい、そのホールのパー数に一打ずつ加算した値とし、前記ハンディまたは差分が１９〜３６迄については、そのハンディまたは差分を、ゴルフ場のホールの難易度を示す順序にしたがい、そのホールのパー数に一打ずつ加算し、全ホールを越えた分については繰り返し前記一打ずつ加算した値にもう一打ずつ加算した値としている。なお、この発明でいうハンディとは、プレイヤーの現在認定されているハンディ、またはプレイ時に目標とするハンディをいう。
【００１５】
例えば、プレイヤーのハンディが１０または目標スコアが８２（ゴルフ場コースのパープレイが７２の場合、以下同じ）であれば、図１、２に示したように、ゴルフ場のホールの難易度が１〜１０であるホールのパー数にそれぞれ一打を加算した値としている。さらに、プレイヤーのハンディが１８または目標スコアが９０であれば、同じく図１、２に示したように、ゴルフ場のホールの難易度が１〜１８、すなわちゴルフ場の全ホールのパー数にそれぞれ一打を加算した値としている。また、プレイヤーのハンディが１８を越えたり、目標スコアが９０を越える場合、例えばプレイヤーのハンディが３０または目標スコアが１０２であれば、同じく図１、２に示したように、ゴルフ場の全ホールのパー数にそれぞれ一打を加算し、さらにゴルフ場のホールの難易度が１〜１２であるホールのパー数にそれぞれもう一打を加算した値としている。すなわち、ゴルフ場のホールの難易度が１〜１２であるホールのパー数にそれぞれ二打を加算し、ゴルフ場のホールの難易度が１３〜１８であるホールのパー数にそれぞれ一打を加算した値としている。
【００１６】
ゴルフ場のホールの難易度が東コース、西コース、南コース等の９ホール毎に１〜９までの順序で決められている場合には、例えば、プレイヤーのハンディが１０または目標スコアが８２であれば、図３に示したように、東コースおよび西コースのホールの難易度が１〜５であるホールのパー数にそれぞれ一打を加算した値としている。さらに、プレイヤーのハンディが１８または目標スコアが９０であれば、同じく図３に示したように、東コースおよび西コースのホールの難易度が１〜９、すなわち東コースおよび西コースの全ホールのパー数にそれぞれ一打を加算した値としている。また、プレイヤーのハンディが１８を越えたり、目標スコアが９０を越える場合、例えばプレイヤーのハンディが３０または目標スコアが１０２であれば、同じく図３に示したように、東コースおよび西コースの全ホールのパー数にそれぞれ一打を加算し、さらに東コースおよび西コースのホールの難易度が１〜６であるホールのパー数にそれぞれもう一打を加算した値としている。すなわち、東コースおよび西コースのホールの難易度が１〜６であるホールのパー数にそれぞれ二打を加算し、東コースおよび西コースのホールの難易度が７〜９であるホールのパー数にそれぞれ一打を加算した値としている。なお、プレイヤーのハンディまたは目標スコアが前記したように偶数ではなく奇数の場合には、その端数は東コースおよび西コースの何れのホールに加算してもよい。例えばプレイヤーのハンディが１１または目標スコアが８３であれば、東コースおよび西コースのホールの難易度が１〜５であるホールのパー数にそれぞれ一打を加算し、難易度が６である東コースまたは西コースの何れかのホールのパー数に一打を加算した値とすればよい。
【００１７】
さらにまた、プレイヤーのハンディが３６を越えたり、目標スコアが１０８を越える場合、例えばプレイヤーのハンディが４０または目標スコアが１１２であれば、ゴルフ場の全ホールのパー数にそれぞれ二打を加算し、さらにゴルフ場のホールの難易度が１〜４であるホールのパー数にそれぞれもう一打を加算した値とすることができる。すなわち、ゴルフ場のホールの難易度が１〜４であるホールのパー数にそれぞれ三打を加算し、ゴルフ場のホールの難易度が５〜１８であるホールのパー数にそれぞれ二打を加算した値とすることができる。
【００１８】
なお、前記したようにプレイヤーのハンディが３６を越えたり、目標スコアが１０８を越える場合を想定すると、この場合の修正数値Ｓは、プレイヤーのハンディ、または目標スコアとゴルフ場コースのパー数との差分が３７〜５４迄については、そのハンディまたは差分を、ゴルフ場のホールの難易度を示す順序にしたがい、そのホールのパー数に二打ずつ加算し、全ホールを越えた分については繰り返し前記二打ずつ加算した値にもう一打ずつ加算した値とすることができる。
【００１９】
前記シート３は、図４、５に示したように、ゴルフ場のホールの難易度に応じ、ハンディが１（目標スコアが７３）〜ハンディが３６（目標スコアが１０８）までのものを作成し、それぞれを一枚ずつ剥離紙５に貼り付けたものとすることができる。なお、前記シート３は、図示していないが、複数枚ずつを剥離紙５に貼り付けたものとしてもよい。
【００２０】
また、前記シート３は、図示していないが、初級プレイヤー向きとして、例えばハンディが３０（目標スコアが１０２）〜ハンディが３６（目標スコアが１０８）までのものを作成したり、中級プレイヤー向きとして、例えばハンディが１５（目標スコアが８７）〜ハンディが２０（目標スコアが９２）までのものを作成したり、上級プレイヤー向きとして、例えばハンディが１（目標スコアが７３）〜ハンディが１０（目標スコアが８３）までのものを作成し、それぞれを一枚ずつまたは複数枚ずつを剥離紙５に貼り付けたものとすることができる。
【００２１】
さらに、前記シート３は、初級・中級プレイヤー向きとして、例えばハンディが１５（目標スコアが８７）〜ハンディが３６（目標スコアが１０８）までのものを作成したり、中級・上級プレイヤー向きとして、例えばハンディが１（目標スコアが７３）〜ハンディが２０（目標スコアが９２）までのものを作成し、それぞれを一枚ずつまたは複数枚ずつ剥離紙５に貼り付けたものとすることができる。
【００２２】
なお、前記シート３は、前記の何れの場合においても、貼付するスコアカードに合わせて、図１、４に示したように、１〜１８ホールを一体とした短冊状のものとしたり、図２、３、５に示したように１〜９ホールと１０〜１８ホールに分割した短冊状のものとすることができる。また、図示した前記シート３は、縦書きのスコアカードに合わせて、縦長の短冊状のものとしているが、横書きのスコアカードであれば、横長の短冊状のものとすることができる。
【００２３】
そして、この発明のゴルフのスコアカード用貼付シートは、スコアカード１の距離表示欄２ａに貼り付けるものとすることができる。例えば、スコアカード１が、図６に示したように、レギュラーティ、バックティ、レディティの距離表示欄２ａを設けたものや、図７に示したように、バックティ、フロントティの距離表示欄２ａを設けたものである場合には、この発明のゴルフのスコアカード用貼付シートは、プレイヤーが使用しない何れかの距離表示欄２ａ、例えば図８に示したように、レディティの距離表示欄２ａや、図９に示したように、フロントティの距離表示欄２ａに貼り付けるものとすることができる。
【００２４】
さらに、この発明のゴルフのスコアカード用貼付シートは、スコアカード１の打数、パット数記入欄２ｂに貼り付けるものとすることができる。すなわち、スコアカード１は、プレイヤー４人分の打数、パット数記入欄２ｂが設けてあるので、３人以下でプレイする場合には、この発明のゴルフのスコアカード用貼付シートは、図１０に示したように、プレイヤーが使用しない何れかの打数、パット数記入欄２ｂに貼り付けるものとすることができる。
【００２５】
また、この発明のゴルフのスコアカード用貼付シートは、スコアカード１のパー表示欄２ｃに貼り付けるものとすることができる。すなわち、この発明のゴルフのスコアカード用貼付シートは、図１１に示したように、スコアカード１のパー表示欄２ｃに記入された本来のパー数値に上に貼り付けるものとすることができる。
【００２６】
さらに、この発明のゴルフのスコアカード用貼付シートは、スコアカード１に新たに設けた欄２ｄ、またはスコアカード１の欄外６に貼り付けるものとすることができる。例えば、この発明のゴルフのスコアカード用貼付シートは、図１２に示したように、スコアカード１の打数、パット数記入欄２ｂに隣接して新たに設けた欄２ｄに貼り付けたり、図１３に示したように、スコアカード１のハンディキャップ表示欄の欄外６に貼り付けるものとすることができる。
【００２７】
以上のように構成したこの発明のゴルフのスコアカード用貼付シートを使用するには、プレイの開始時に、自己のハンディや目標スコアに応じた修正数値が記載されているシート３を剥離紙５から剥がし、前記したスコアカード１の何れかの欄２または欄外６に貼り付ける。
【００２８】
例えば、前記図８、９に示したように、スコアカード１のプレイヤーが使用しない何れかの距離表示欄２ａや、図１０に示したように、スコアカード１のプレイヤーが使用しない何れかの打数、パット数記入欄２ｂや、図１１に示したように、スコアカード１のパー数表示欄２ｃや、図１２に示したように、スコアカード１に新たに設けた欄２ｄや、図１３に示したように、スコアカード１の欄外６にそれぞれこの発明のゴルフのスコアカード用貼付シートを貼り付けたものとすると、プレイヤーは、自己のハンディや目標スコアに応じ本来のパー数値を修正することができるので、この修正した数値を目標に各ホール毎でスコアメイクすることによりプレイを楽しむことができる。また、このように目標を明確にすれば、ゴルフの技術向上にもつながるものとなる。
【００２９】
なお、図１１に示したように、スコアカード１のパー数表示欄２ｃにこの発明のゴルフのスコアカード用貼付シートを貼り付けたものとすると、そのゴルフ場のパー数表示をプレイヤーの実力に応じて変更できるものとなる。すなわち、スコアカード１のパー数表示欄２ｃに記入された本来のパー数値の上に、修正された数値が表示されることになるので、この数値があたかもそのゴルフ場のパー数表示のようになる。
【００３０】
さらに、この発明のゴルフのスコアカード用貼付シートは、同伴者とハンディ戦をする場合には、自己のハンディに応じた修正数値が記載されているシート１と同伴者のハンディに応じた修正数値が記載されているシート１をそれぞれ剥離紙５から剥がし、それぞれが前記したスコアカード１の何れかの欄２または欄外６に貼り付けることができる。このようにすれば、プレイ中に各ホールの同伴者とのハンディ差を読み取ることができ、プレイの楽しみがより一層増加することになる。
【００３１】
【発明の効果】
この発明のゴルフのスコアカード用貼付シートは、以上に述べたように構成されているので、スコアカードに貼付することにより、ハンディや目標スコアを決めてプレイする場合には、各ホールのパー数表示欄の数値より何打余分に打つことができるのかをすぐに読み取ることができ、また同伴者とハンディ戦をする場合にも、各ホールの同伴者とのハンディをすぐに読み取ることができ、競技者がプレイに集中でき、ゴルフの楽しみをより増加させることができるものとなる。
【図面の簡単な説明】
【図１】この発明のゴルフのスコアカード用貼付シートの一実施形態を示す要部拡大説明図である。
【図２】この発明のゴルフのスコアカード用貼付シートの他の実施形態を示す要部拡大説明図である。
【図３】この発明のゴルフのスコアカード用貼付シートのさらに他の実施形態を示す要部拡大説明図である。
【図４】図１に示すこの発明のゴルフのスコアカード用貼付シートの一部省略平面図である。
【図５】図２に示すこの発明のゴルフのスコアカード用貼付シートの一部省略平面図である。
【図６】この発明のゴルフのスコアカード用貼付シートを使用するゴルフのスコアカードの一例を示す平面図である。
【図７】この発明のゴルフのスコアカード用貼付シートを使用するゴルフのスコアカードの他の例を示す平面図である。
【図８】この発明のゴルフのスコアカード用貼付シートの使用状態の一例を示す平面図である。
【図９】この発明のゴルフのスコアカード用貼付シートの使用状態の他の例を示す平面図である。
【図１０】この発明のゴルフのスコアカード用貼付シートの使用状態のさらに他の例を示す平面図である。
【図１１】この発明のゴルフのスコアカード用貼付シートの使用状態のさらに他の例を示す平面図である。
【図１２】この発明のゴルフのスコアカード用貼付シートの使用状態のさらに他の例を示す平面図である。
【図１３】この発明のゴルフのスコアカード用貼付シートの使用状態のさらに他の例を示す平面図である。
【符号の説明】
１　スコアカード
２　欄
２ａ　距離表示欄
２ｂ　打数、パット数記入欄
２ｃ　パー数表示欄
２ｄ　新たに設けた欄
３　シート
４　粘着層
５　剥離紙
６　欄外
Ｓ　修正数値
【図１】
2004024306.tif 000003
【図２】
2004024306.tif 000004
【図３】
2004024306.tif 000005
【図４】
2004024306.tif 000006
【図５】
2004024306.tif 000007
【図６】
2004024306.tif 000008
【図７】
2004024306.tif 000009
【図８】
2004024306.tif 000010
【図９】
2004024306.tif 000011
【図１０】
2004024306.tif 000012
【図１１】
2004024306.tif 000013
【図１２】
2004024306.tif 000014
【図１３】
2004024306.tif 000015